(57)【要約】【課題】簡単な構造で、エレベータの据え付け作業用移動仮設作業床の落下を確実に止める。【解決手段】実施形態に係る移動仮設作業装置１２は、昇降路１１内上部から吊り下げられた２本の駆動用ロープ１５および１本の安全装置用ロープ１９と、駆動用ロープ１５によって吊り下げられた移動仮設作業床１６と、駆動用ロープ１５の巻き取り・繰り出しにより移動仮設作業床１６を上昇・下降させる駆動用ワインダ１７と、移動仮設作業床１６に取り付けられていて移動仮設作業床１６急落下時に安全装置用ロープ１９を掴むロープ掴み具２１と、ロープ掴み具２１が安全装置用ロープ１９を掴んだときにロープ掴み具２１が安全装置用ロープ１９によって引き上げられることによって動作してガイドレール１３に押し付けられる制動部材３１を含む安全装置２９と、を有する。【選択図】図１
2012051702.tif 000002
【特許請求の範囲】
【請求項１】
エレベータの据え付け作業に用いられる移動仮設作業装置であって、
昇降路内の上部から吊り下げられた少なくとも２本の駆動用ロープおよび少なくとも１本の安全装置用ロープと、
前記少なくとも２本の駆動用ロープによって吊り下げられた移動仮設作業床と、
前記移動仮設作業床に取り付けられて、前記少なくとも２本の駆動用ロープそれぞれを巻き取ることにより前記移動仮設作業床を上昇させ、また、逆に前記駆動用ロープそれぞれを繰り出すことにより前記移動仮設作業床を下降させる少なくとも２台の駆動用ワインダと、
前記移動仮設作業床に取り付けられていて、前記移動仮設作業床が所定の速度以上の速度で急降下したときに前記安全装置用ロープを掴むロープ掴み具と、
前記移動仮設作業床が所定の速度以上の速度で急降下して前記ロープ掴み具が前記安全装置用ロープを掴んだときに、前記ロープ掴み具が前記安全装置用ロープによって引き上げられることによって動作して前記昇降路内で上下方向に延びるガイドレールに対して押し付けられる制動部材を含む安全装置と、
を有することを特徴とする移動仮設作業装置。
【請求項２】
前記安全装置は、
前記移動仮設作業床に取り付けられていて、前記ロープ掴み具が前記安全装置用ロープを掴んだときに、そのロープ掴み具によって引き上げられる安全操作腕を含み、
前記安全操作腕が引き上げられることにより、前記制動部材が前記ガイドレールに対して押し付けられるように構成されていることを特徴とする請求項１に記載の移動仮設作業装置。
【請求項３】
前記移動仮設作業床は、エレベータ乗りかごを構成しうるかご床と、そのかご床の下方を構成する下梁とを備え、
前記制動部材および安全装置操作腕は前記下梁に取り付けられていること、
を特徴とする請求項２に記載の移動仮設作業装置。
【請求項４】
前記掴み具は、前記安全装置用ロープを掴んだときに、前記安全装置の動作に必要な摺動が可能に構成されていること、を特徴とする請求項１ないし請求項３のいずれか一項に記載の移動仮設作業装置。
【請求項５】
前記安全装置用ロープは、前記ロープ掴み具が安全装置用ロープを掴んでから前記制動部材が前記ガイドレールに対して押し付けられるまでの前記移動仮設作業床の落下距離に相当する長さ分だけの余裕を前記ロープ掴み具の上方に備えていることを特徴とする請求項１ないし請求項４のいずれか一項に記載の移動仮設作業装置。
【請求項６】
前記ガイドレールは前記移動仮設作業床をはさむ位置に２本あって、前記制動部材は、制動時に前記２本のガイドレールそれぞれに対して押し付けられるように構成されていること、を特徴とする請求項１ないし請求項５のいずれか一項に記載の移動仮設作業装置。
【請求項７】
前記安全装置用ロープを吊り下げる吊り元具をさらに有し、
前記吊り元具の引っ張り強さは、前記安全装置を動作させるのに十分な大きさであって、しかも、前記移動仮設作業床を吊り下げることができない程度の大きさであること、を特徴とする請求項１ないし請求項６のいずれか一項に記載の移動仮設作業装置。
【請求項８】
前記吊り元具は、
１個の上部吊り元板と、
この上部吊り元板にそれぞれが吊り下げられた互いに平行な複数の安全装置用サブロープと、
これらの複数の安全装置用サブロープに吊り下げられて前記安全装置用ロープが吊り下げられた１個の下部吊り元板と、
を備えていること、を特徴とする請求項７項に記載の移動仮設作業装置。
【請求項９】
前記安全装置用ロープの引っ張り強さは、前記安全装置を動作させるのに十分な大きさであって、しかも、前記移動仮設作業床を吊り下げることができない程度の大きさであること、を特徴とする請求項１ないし請求項６のいずれか一項に記載の移動仮設作業装置。
【発明の詳細な説明】
【技術分野】
【０００１】
この発明の実施形態は、エレベータの据え付け作業に用いられる移動仮設作業装置に関する。
【背景技術】
【０００２】
エレベータの据え付け作業にあたり、昇降路内で乗りかごなどを組み立てる前に、昇降路内に移動仮設作業床（作業用ゴンドラ）を設置する技術が知られている。従来の技術では、昇降路内の頂部付近から２本の駆動用ロープで移動仮設作業床を吊り下げ、この駆動用ロープにより移動仮設作業床を昇降駆動する。さらに、この駆動用ロープの破断などによって移動仮設作業床が落下を始めた場合に、移動仮設作業床の落下を止めるための安全装置を設ける技術も知られている。
【先行技術文献】
【特許文献】
【０００３】
【特許文献１】特開平８−８５６８５号公報
【特許文献２】特開２０１０−３７０６０号公報
【発明の概要】
【発明が解決しようとする課題】
【０００４】
従来の移動仮設作業装置では、多数のロープが必要であったり、構造が複雑であったりした。
【０００５】
この発明の実施形態は、簡単な構造で、移動仮設作業床の落下を確実に止めることができるようにすることを目的としている。
【課題を解決するための手段】
【０００６】
この発明の実施形態は、エレベータの据え付け作業に用いられる移動仮設作業装置であって、昇降路内の上部から吊り下げられた少なくとも２本の駆動用ロープおよび少なくとも１本の安全装置用ロープと、前記少なくとも２本の駆動用ロープによって吊り下げられた移動仮設作業床と、前記移動仮設作業床に取り付けられて、前記少なくとも２本の駆動用ロープそれぞれを巻き取ることにより前記移動仮設作業床を上昇させ、また、逆に前記駆動用ロープそれぞれを繰り出すことにより前記移動仮設作業床を下降させる少なくとも２台の駆動用ワインダと、前記移動仮設作業床に取り付けられていて、前記移動仮設作業床が所定の速度以上の速度で急降下したときに前記安全装置用ロープを掴むロープ掴み具と、前記移動仮設作業床が所定の速度以上の速度で急降下して前記ロープ掴み具が前記安全装置用ロープを掴んだときに、前記ロープ掴み具が前記安全装置用ロープによって引き上げられることによって動作して前記昇降路内で上下方向に延びるガイドレールに対して押し付けられる制動部材を含む安全装置と、を有することを特徴とする。
【図面の簡単な説明】
【０００７】
【図１】本発明に係る移動仮設作業装置の一実施形態の概要を示す模式的立面図である。
【図２】図１の移動仮設作業装置のロープ掴み具付近を拡大して示す模式的立面図である。
【図３】図１の移動仮設作業装置の吊り元付近を拡大して示す模式的立面図である。
【図４】図１の移動仮設作業装置の吊り元具付近を拡大して示す模式的立面図である。
【発明を実施するための形態】
【０００８】
以下に、図面を参照して、本発明に係る移動仮設作業装置の一実施形態について説明する。
【０００９】
図１は、本発明に係る移動仮設作業装置の一実施形態の概要を示す模式的立面図である。図２は、図１の移動仮設作業装置のロープ掴み具付近を拡大して示す模式的立面図である。図３は、図１の移動仮設作業装置の吊り元付近を拡大して示す模式的立面図である。図４は、図１の移動仮設作業装置の吊り元具付近を拡大して示す模式的立面図である。
【００１０】
図１ないし図３は、エレベータの昇降路１１内で、乗りかごや巻上機を設置する前に、エレベータ設置作業用の移動仮設作業装置１２およびガイドレール１３を設置した状態を示している。
【００１１】
昇降路１１内の側壁に沿って２本のガイドレール１３が互いに間隔をあけて上下方向に延びて固定されている。また、昇降路１１内の頂部付近に水平方向に延びる梁状の吊り元１４が設置されている。
【００１２】
吊り元１４には、２本の駆動用ロープ１５が吊り下げられ、これらの駆動用ロープ１５によって、移動仮設作業床１６が吊り下げられている。移動仮設作業床１６は本設の乗りかごのかご床を用いる。移動仮設作業床１６は水平方向に広がっていて、２個の駆動用ワインダ１７が互いに間隔をあけて固定されている。２本の駆動用ロープ１５はそれぞれの駆動用ワインダ１７に巻き付けられ、駆動用ワインダ１７が駆動用ロープ１５を巻き取ることによって移動仮設作業床１６が上昇し、逆に、駆動用ワインダ１７が巻き取った駆動用ロープ１５を繰り出すことによって移動仮設作業床１６が下降するように構成されている。移動仮設作業床１６は、２本のガイドレール１３の間にはさまれるように配置されている。
【００１３】
吊り元１４には、吊り元具１８が吊り下げられ、吊り元具１８には１本の安全装置用ロープ１９が吊り下げられている。安全装置用ロープ１９の上部には緩み部２０が設けられ、安全装置用ロープ１９は緩み部２０の下方で、ロープ掴み具２１の近傍を通過してその下方まで延びている。
【００１４】
移動仮設作業床１６すなわち本設のかご床の上には作業床手摺２５が取り付けられており、この作業床手摺２５と係合するロープ掴み具２１が配置されている。
【００１５】
移動仮設作業床１６の下方には、本設の乗りかごの下梁２８が取り付けられ、下梁２８の下部には安全装置２９が取り付けられている。安全装置２９は、ロープ掴み具２１が引き上げられることによって引き上げられる安全操作腕３０と、安全操作腕３０によって駆動される制動部材３１とを有する。制動部材３１は、ロープ掴み具２１が引き上げられたときに安全操作腕３０によって駆動され、２本のガイドレール１３に押し付けられて、移動仮設作業装置の落下を止める働きをする。
【００１６】
図２に示すように、ロープ掴み具２１の近くを安全装置用ロープ１９が上下方向に延びていて、通常時はロープ掴み具２１と安全装置用ロープ１９は干渉していない。作業床手摺２５に、上下方向に長い長穴３５が複数個設けられており、ロープ掴み具２１に固定されて軸を水平にした複数のボルト３６が各長穴３５を貫通している。この構造により、作業床手摺２５とロープ掴み具２１は、長穴３５の長さ分だけ上下方向に相対的に摺動可能である。
【００１７】
ロープ掴み具２１は、下降速度が所定の値を超えた場合にそれを検知して安全装置用ロープ１９を掴む機能を有する。
【００１８】
図３に示すように、緩み部２０は、安全装置用ロープ１９を所定長さだけコイル状に巻いて緊結具３３で止めたものである。この緊結具３３は、安全装置用ロープ１９が所定の引っ張り強さを越す強さで引っ張られると外れて、コイル状に巻かれた安全装置用ロープ１９が直線的に延びうるものである。
【００１９】
図４に示すように、吊り元具１８は、吊り元１４に吊り下げられた上部吊り元板２２と、上部吊り元板２２から吊り下げられた複数本の互いに平行な安全装置用サブロープ２３と、安全装置用サブロープ２３から吊り下げられた下部吊り元板２４とを有する。下部吊り元板２４に、安全装置用ロープ１９が吊り下げられている。安全装置用サブロープ２３全体の引っ張り強さは、安全装置２９を動作させるのに十分な強さであって、しかも、移動仮設作業床１６を吊り下げることができない程度の強さとする。
【００２０】
上記構成の移動仮設作業装置１２において、通常時は、駆動用ワインダ１７によって、駆動用ロープ１５を巻き取ることにより移動仮設作業床１６が上昇し、逆に、駆動用ロープ１５を繰り出すことにより移動仮設作業床１６が下降する。このとき、ロープ掴み具２１は安全装置用ロープ１９を掴んでおらず、安全装置２９は働いていない。
【００２１】
２本の駆動用ロープ１５のうちの１本または２本の破断などによって、移動仮設作業床１６が所定速度を超える速度で急落下した場合は、ロープ掴み具２１が落下速度を検知して安全装置用ロープ１９を掴む。これにより、安全装置用ロープ１９に張力がかかり、安全装置２９の安全操作腕３０が引き上げられて動作し、制動部材３１が２本のガイドレール１３それぞれに押し付けられる。これにより、移動仮設作業床１６の落下を止めることができる。
【００２２】
安全装置用ロープ１９にはあらかじめ緩み部２０が設けられていて、ロープ掴み具２１が安全装置用ロープ１９を掴んでから安全装置２９が作動するまでの移動仮設作業床１６の落下距離分だけの余裕がある。これにより、安全装置２９が作動するまでの間に安全装置用ロープ１９が破断するのを避けることができ、安全装置２９を確実に作動させることができる。
【００２３】
また、吊り元具１８の安全装置用サブロープ２３の引っ張り強さは安全装置２９を動作させるのに十分な大きさであるから安全装置２９を動作させるには充分である。しかし、かりに、駆動用ロープ１５や安全装置２９によらずに安全装置用サブロープ２３や安全装置用ロープ１９で移動仮設作業床１６を吊り下げることになると、移動仮設作業床１６はいわゆる片吊り状態となり、傾斜して危険であり、その後の安全装置２９の機能にも悪影響を与える危険性がある。これに対して、この実施形態では、安全装置用サブロープ２３の引っ張り強さは移動仮設作業床１６を吊り下げることができない程度の大きさとなっているので、片吊り状態になる前に安全装置用サブロープ２３が破断し、片吊り状態を避けることができる。
【００２４】
ここで、複数の安全装置用サブロープ２３を平行に用いることにより、その本数を調整して、全体の引っ張り強さを調整することができる。
【００２５】
エレベータ据え付け作業終了後は、移動仮設作業床１６は乗りかご床として利用される。また、下梁２８、安全装置２９およびガイドレール１３も本設用設備として利用される。
【００２６】
以上、本発明の実施形態について説明したが、これは単なる例示であって、本発明はこれに限定されるものではない。
【００２７】
たとえば、上記実施形態では、複数本の互いに平行な安全装置用サブロープ２３を備えた吊り元具１８を用いることにより、吊り元具１８全体の引っ張り強さを調整するものとしたが、安全装置用ロープ１９自体の引っ張り強さを適当に調整することができれば、吊り元具１８はなくてもよい。
【符号の説明】
【００２８】
１１  昇降路
１２  移動仮設作業装置
１３  ガイドレール
１４  吊り元
１５  駆動用ロープ
１６  移動仮設作業床
１７  駆動用ワインダ
１８  吊り元具
１９  安全装置用ロープ
２０  緩み部
２１  ロープ掴み具
２２  上部吊り元板
２３  安全装置用サブロープ
２４  下部吊り元板
２５  作業床手摺
２８  下梁
２９  安全装置
３０  安全操作腕
３１  制動部材
３３  緊結具
３５  長穴
【図１】
2012051702.tif 000003
【図２】
2012051702.tif 000004
【図３】
2012051702.tif 000005
【図４】
2012051702.tif 000006